(57)【要約】【課題】ラックマウント型の電子機器を大型化可能とする。【解決手段】ストレージ装置３００のケーブルを支持するケーブルマネジメントアーム（ＣＭＡ）４００は、ストレージ装置３００に対して基端部４２０Ａが固定された第１のアーム部材４２０と、ラックの柱部材２２２に対して基端部４４０Ａが固定された第２のアーム部材４４０と、を有する。第１のアーム部材４２０及び第２のアーム部材４４０は、夫々、上下方向に延びる第１の回転軸４２２及び第２の回転軸４４２の周りに回転自由である。また、第１のアーム部材４２０と第２のアーム部材４４０とは、上下方向に所定距離（例えば、ケーブルの許容最小曲げ半径の少なくとも２倍）を隔てて配設される。そして、上下方向にケーブルを屈曲させることで、ＣＭＡ４００が占有するスペースを小さくし、その分だけストレージ装置３００を大型化できるようにする。【選択図】図４
2015195251.tif 000002
【特許請求の範囲】
【請求項１】
電子機器をスライド可能に搭載するラックを備えた電子機器搭載装置であって、
前記電子機器のケーブルを支持するケーブルマネジメントアームは、
前記電子機器に対して、上下方向に延びる第１の回転軸の周りに回転自由に基端部が固定された第１のアーム部材と、
前記ラックに対して、上下方向に延びる第２の回転軸の周りに回転自由に基端部が固定された第２のアーム部材と、
を有し、
前記第１のアーム部材と前記第２のアーム部材とは、上下方向に所定距離を隔てて配設された、
ことを特徴とする電子機器搭載装置。
【請求項２】
前記第１のアーム部材の先端部と前記第２のアーム部材の先端部とは、相互に相対変位可能な連結部材を介して連結された、
ことを特徴とする請求項１に記載の電子機器搭載装置。
【請求項３】
前記第１のアーム部材の基端部は、当該第１のアーム部材の材軸方向に延びる第３の回転軸の周りに更に回転可能である、
ことを特徴とする請求項１又は請求項２に記載の電子機器搭載装置。
【請求項４】
前記ラックに対して前記電子機器を出し入れする力を利用して、前記第１のアーム部材の基端部を前記第１の回転軸及び前記第３の回転軸の周りに夫々回転させる回転機構を更に有する、
ことを特徴とする請求項３に記載の電子機器搭載装置。
【請求項５】
前記所定距離は、前記ケーブルの許容最小曲げ半径の少なくとも２倍である、
ことを特徴とする請求項１〜請求項４のいずれか１つに記載の電子機器搭載装置。
【発明の詳細な説明】
【技術分野】
【０００１】
本発明は、ラックマウント型の電子機器を搭載する電子機器搭載装置に関する。
【背景技術】
【０００２】
サーバ，ストレージなどのラックマウント型の電子機器は、点検・整備などのために、ラックに対してスライド可能となっている。電子機器の電源ケーブル，データケーブルなどのケーブルは、電子機器をスライドさせるときに、例えば、ラックとの干渉を抑制する観点から、ラックの幅方向及び奥行方向で規定される平面上（横断面上）で折り畳み可能な一対のアーム部材を有するケーブルマネジメントアームによって支持されている。
【先行技術文献】
【特許文献】
【０００３】
【特許文献１】特開２００３−２６３２４２号公報
【発明の概要】
【発明が解決しようとする課題】
【０００４】
しかしながら、ケーブルには許容最小曲げ半径があるため、ラックに対して電子機器を押し込んだ状態において、一対のアーム部材がなす角度を小さくできず、ケーブルマネジメントアームが占有する奥行き方向のスペースが大きい。このため、規定サイズを有するラックに搭載可能な電子機器のサイズを大きくできず、例えば、ハードディスクを複数収容したストレージ装置の容量増加が困難であった。
【０００５】
そこで、本発明は、ラックマウント型の電子機器を大型化可能な、電子機器搭載装置を提供することを目的とする。
【課題を解決するための手段】
【０００６】
このため、電子機器をスライド可能に搭載するラックを備えた電子機器搭載装置において、電子機器のケーブルを支持するケーブルマネジメントアームは、電子機器に対して基端部が固定された第１のアーム部材と、ラックに対して基端部が固定された第２のアーム部材と、を有する。第１のアーム部材の基端部は、上下方向に延びる第１の回転軸の周りに回転自由であり、第２のアーム部材の基端部は、上下方向に延びる第２の回転軸の周りに回転自由である。そして、第１のアーム部材と第２のアーム部材とは、上下方向に所定距離を隔てて配設される。
【発明の効果】
【０００７】
本発明によれば、ケーブルマネジメントアームが占有する奥行きスペースが小さくなり、ラックマウント型の電子機器を大型化することができる。
【図面の簡単な説明】
【０００８】
【図１】斜め前方から見た電子機器搭載装置の一例を示す斜視図である。
【図２】斜め後方から見た電子機器搭載装置の一例を示す斜視図である。
【図３】ストレージ装置の外観を示す斜視図である。
【図４】ケーブルマネジメントアームの一例を示す斜視図である。
【図５】ラックにストレージ装置を押し込んだときのケーブルマネジメントアームの状態を示す斜視図である。
【図６】比較例におけるケーブルマネジメントアームが占有するスペースの説明図である。
【図７】本実施形態におけるケーブルマネジメントアームが占有するスペースの説明図である。
【図８】ラックからストレージ装置を引き出したときのケーブルマネジメントアームの状態を示す斜視図である。
【図９】ケーブルマネジメントアームに支持されるケーブルに発生する捩じりの説明図である。
【図１０】ケーブルの捩じりを小さくする工夫の説明図である。
【図１１】スライドレールに設けられた回転機構の一例を示す斜視図である。
【図１２】第１のアーム部材を回転させる回転機構の一例を示す斜視図である。
【図１３】第１のアーム部材を回転させる回転機構の一例を示す平面図である。
【図１４】第１のアーム部材を回転させる回転機構の一例を示す側面図である。
【図１５】第１のアーム部材及び第２のアーム部材の展開状態を示す斜視図である。
【図１６】第１のアーム部材と第２のアーム部材とを連結する連結部材の他の例を示す斜視図である。
【発明を実施するための形態】
【０００９】
以下、添付された図面を参照し、本発明を実施するための実施形態について詳述する。
図１及び図２は、本実施形態に係る電子機器搭載装置１００の一例を示す。
【００１０】
電子機器搭載装置１００は、ラック２００と、ラック２００に対してスライド可能に搭載されるラックマウント型のストレージ装置３００と、を有する。換言すると、電子機器搭載装置１００は、ストレージ装置３００をスライド可能に搭載するラック２００を備える。ここで、ストレージ装置３００が、電子機器の一例として挙げられる。なお、ラックマウント型の電子機器は、ストレージ装置３００に限らず、例えば、サーバなどであってもよい。
【００１１】
ラック２００は、略直方体形状の各辺を構成するフレーム２２０と、フレーム２２０の幅方向の外側面を覆う略矩形形状の板部材２４０と、を有する。フレーム２２０は、上下方向に延びる４本の柱部材２２２と、柱部材２２２の上端部を相互に連結する４本の梁部材２２４と、柱部材２２２の下端部に固定されるベース部材２２６と、を有する。柱部材２２２及び梁部材２２４は、例えば、横断面が略Ｌ字形状をなすアングル材、横断面が略コ字形状をなすチャンネル材からなる。ベース部材２２６は、平面視で略矩形形状をなし、例えば、軽量化などに資する軽量穴が形成されている。そして、柱部材２２２には、後述するスライドレール２６０の取付位置を適宜変更可能なように、材軸方向に沿って所定間隔で多数の取付孔２２２Ａが形成されている。なお、ベース部材２２６の下面の四隅には、高さ調整機能付きの脚部材２８０が取り付けられている。
【００１２】
ストレージ装置３００は、略直方体形状をなし、少なくとも、その幅が所定寸法（例えば、１９インチ）に規定されている。また、ストレージ装置３００の高さは、１９インチ幅の場合、例えば、１Ｕ（１．７５インチ）を単位として、その整数倍（例えば、４Ｕ）に規定されている。
【００１３】
ストレージ装置３００は、図３に示すように、ラック２００から突出する前面側にハードディスクを搭載するＨＤＤ搭載部３２０と、ラック２００の奥部に面する背面側に各種のユニットを搭載するユニット搭載部３４０と、を有する。ＨＤＤ搭載部３２０には、例えば、複数の３．５インチのハードディスクが縦置きかつ縦横（アレイ状）に着脱可能に搭載されている。ユニット搭載部３４０には、例えば、制御ユニット、電源ユニット、ファンユニットなどが搭載されている。なお、ＨＤＤ搭載部３２０の上面には、天板３２２が着脱可能に取り付けられている。
【００１４】
ストレージ装置３００は、ラック２００の両側面に位置する２本の柱部材２２２に夫々固定されるスライドレール２６０を介して、ラック２００の横断面上で前面側に引き出し（スライド）可能なように取り付けられる。スライドレール２６０は、柱部材２２２の取付孔２２２Ａに締結具を介して固定されるアウターレール２６２と、アウターレール２６２の内側において材軸方向に相対移動可能に結合されたインナーレール２６４と、を有する。そして、ストレージ装置３００の両側面が、締結具を介してインナーレール２６４の内面に固定される。従って、ラック２００からストレージ装置３００を引き出す力が作用すると、アウターレール２６２に対してインナーレール２６４が材軸方向に相対変位し、インナーレール２６４と一体化されているストレージ装置３００がラック２００から突出した位置まで引き出される。
【００１５】
このような方法で、ラック２００に対して、４台のストレージ装置３００が縦（上下）に積み重ねられた状態で搭載され、電子機器搭載装置１００が構築される。なお、ラック２００に搭載されるストレージ装置３００は、４台に限らず、他の台数であってもよい。
【００１６】
ストレージ装置３００の背面には、例えば、外部の商用電源から電力供給を受ける電源ケーブル、外部機器との間で各種のデータを送受信するデータケーブルなどのケーブルが取り付けられている。ストレージ装置３００の点検・整備などを行うときに、ラック２００からストレージ装置３００を引き出すことを考慮し、ケーブルにはストレージ装置３００を引き出し可能とするある程度の余長が確保されている。なお、ケーブルは、例えば、破損や劣化などによって交換可能なように、コネクタを介してストレージ装置３００に着脱可能に接続されていてもよい。
【００１７】
ラック２００からストレージ装置３００を引き出すとき、ストレージ装置３００の背面に位置するケーブル余長が、例えば、ラック２００のフレーム２２０、上下に位置する他のストレージ装置３００と干渉すると、破損や劣化が起こってしまうおそれがある。そこで、ラック２００には、ストレージ装置３００を引き出す際に、ケーブル余長調整機能、ケーブルが垂れ下がらないようにする機能などを発揮する、ケーブルマネジメントアーム（ＣＭＡ）４００が取り付けられている。
【００１８】
ＣＭＡ４００は、ストレージ装置３００の背面側に位置するラック２００の内部空間に配設される。ＣＭＡ４００は、図４に示すように、ストレージ装置３００の背面の左右一方に基端部４２０Ａが固定された第１のアーム部材４２０と、ラック２００の背面に位置する左右の柱部材２２２の一方に基端部４４０Ａが取り付けられた第２のアーム部材４４０と、を有する。ここで、第１のアーム部材４２０及び第２のアーム部材４４０は、ストレージ装置３００の背面において、共通する左方又は右方に取り付けられる。
【００１９】
第１のアーム部材４２０は、例えば、上面が開口する直線状のチャンネル材からなり、その基端部４２０Ａが、上下方向に延びる第１の回転軸４２２の周りに回転自由に固定されている。第２のアーム部材４４０は、例えば、下面が開口する直線状のチャンネル材からなり、その基端部４４０Ａが、上下方向に延びる第２の回転軸４４２の周りに回転自由に固定されている。また、第１のアーム部材４２０及び第２のアーム部材４４０には、その凹部に沿わせたケーブルを保持する結束バンドなどを挿通して固定するために、複数の挿通孔４２０Ｂ及び４４０Ｂが夫々形成されている。なお、第１のアーム部材４２０及び第２のアーム部材４４０は、チャンネル材に限らず、パイプ材、棒材、板材などから構成されていてもよい。
【００２０】
そして、第１のアーム部材４２０の先端部４２０Ｃと第２のアーム部材４４０の先端部４４０Ｃとは、例えば、マイラーシートなどのフィルム状素材、金網などの金属素材、皮革や織物素材など、弾性を有する素材からなるフレキシブルな連結部材４６０を介して、相互に連結されている。なお、第１のアーム部材４２０の先端部４２０Ｃと第２のアーム部材４４０の先端部４４０Ｃとは、ケーブルによって間接的に連結されているため、連結部材４６０は必ずしも必要ではない。
【００２１】
第１のアーム部材４２０と第２のアーム部材４４０とは、上下方向に所定距離を隔てて配設されている。ここで、所定距離は、第１のアーム部材４２０の凹部底面と第２のアーム部材４４０の凹部底面とが、ケーブルの許容最小曲げ半径の少なくとも２倍である。このようにすれば、第１のアーム部材４２０と第２のアーム部材４４０との間に架け渡されるケーブルは、少なくとも許容最小曲げ半径で屈曲されることとなり、ケーブルの配索条件を満たすことができる。
【００２２】
ここで、かかる電子機器搭載装置１００の作用について説明する。
ラック２００にストレージ装置３００が押し込まれた状態では、図５に示すように、ＣＭＡ４００の第１のアーム部材４２０及び第２のアーム部材４４０は、平面視で、重なり合っている。このとき、第１のアーム部材４２０と第２のアーム部材４４０とは、上下方向に所定距離を隔てて配設されているので、ケーブル５００は、少なくとも許容最小曲げ半径で屈曲されることとなり、ケーブル配索条件を満たすことから、長期間に亘る使用によっても問題が発生しない。また、ケーブル５００が上下方向で屈曲されているため、ラック２００の奥行き方向において、ＣＭＡ４００を配設するために必要なスペース（奥行きスペース）が小さくなり、その分だけストレージ装置３００を大型化することができる。
【００２３】
一般的なストレージ装置３００の高さは４Ｕ（約177.8mm）であるため、ケーブル５００の許容最小曲げ半径を80mmとすると、ＣＭＡ４００はストレージ装置３００の上下方向の範囲内に配設可能である。
【００２４】
比較例におけるＣＭＡ６００は、図６に示すように、ラック２００の横断面上に第１のアーム部材６２０及び第２のアーム部材６４０が位置していたため、ケーブル５００の屈曲箇所で比較例は、2×80＝160mmの奥行きスペースを要していた。そして、ケーブル５００の屈曲箇所は、ストレージ装置３００からＣＭＡ６００へケーブル５００が導かれる箇所、ＣＭＡ６００の第１のアーム部材６２０から第２のアーム部材６４０へとケーブル５００が架け渡される箇所、ＣＭＡ６００から外部へとケーブル５００が導出される箇所の３カ所ある。このため、比較例のＣＭＡ６００では、160×3＝480mmの奥行きスペースが必要であった。
【００２５】
一方、本実施形態におけるＣＭＡ４００は、図７に示すように、ラック２００の横断面上に第１のアーム部材４２０及び第２のアーム部材４４０が重なって位置しているため、その箇所における奥行きスペースは、第１のアーム部材４２０及び第２のアーム部材４４０の幅である約50mmとなる。また、ストレージ装置３００からＣＭＡ４００へとケーブル５００を導く箇所は比較例と同等であるため、その奥行きスペースは80×2＝160mm、ＣＭＡ４００から外部へとケーブル５００を導出する箇所では、その奥行きスペースが80mmとなる。このため、本実施形態におけるＣＭＡ４００は、160＋50＋80＝290mmの奥行きスペースとなる。
【００２６】
従って、ＣＭＡ４００の奥行きスペースが480mmから290mmへと190mmほど短くなり、その分だけストレージ装置３００の奥行き寸法を大きくすることができる。ストレージ装置３００がハードディスクを搭載している場合、縦約150mm、横約100mm、厚さ約20mmの筐体サイズを有する3.5インチのハードディスクを１列多く搭載することができる。
【００２７】
そして、ラック２００からストレージ装置３００を引き出すときには、図８に示すように、ＣＭＡ４００の第１のアーム部材４２０及び第２のアーム部材４４０は、夫々、第１の回転軸４２２及び第２の回転軸４４２の周りに回転し、両者がなす角度が徐々に大きくなる。このため、ＣＭＡ４００に支持されるケーブル５００は、ラック２００、他のストレージ装置３００などと干渉せずに、ストレージ装置３００の移動に伴って前面側へと展開する。なお、ラック２００にストレージ装置３００を押し込むときには、この逆の過程を経る。
【００２８】
ところで、ＣＭＡ４００では、ラック２００からストレージ装置３００を引き出した状態において、図９に示すように、第１のアーム部材４２０と第２のアーム部材４４０とを連結する連結部材４６０に支持されるケーブル５００のＡ部に捩じれが発生する。ケーブル５００の捩じれは、ケーブル５００の屈曲部分に発生するため、可能であれば無いほうが好ましい。
【００２９】
そこで、図１０に示すように、第１のアーム部材４２０の基端部４２０Ａは、ストレージ装置３００に対して、第１の回転軸４２２に加え、第１のアーム部材４２０の材軸方向に延びる第３の回転軸４２４の周りに回転自由に固定される。このようにすれば、第１のアーム部材４２０は、第１の回転軸４２２の周りに回転するとき、ケーブル５００に作用する力によって、第３の回転軸４２４の周りにも回転する。このため、ケーブル５００の捩じれが小さくなり、ここに発生する応力を軽減することができる。
【００３０】
ラック２００からストレージ装置３００を引き出す力を利用して、次のような回転機構４８０により、第１のアーム部材４２０を、第１の回転軸４２２及び第３の回転軸４２４の周りに自動的に回転させることもできる。
【００３１】
スライドレール２６０のアウターレール２６２の内面、即ち、左右一対のアウターレール２６２の対向する内面には、図１１に示すように、上下方向に歯面が延びるラック２６６が形成されている。ラック２６６は、アウターレール２６２の内面に直接形成してもよく、また、別体のラック２６６をアウターレール２６２の内面に固着してもよい。
【００３２】
第１のアーム部材４２０の基端部４２０Ａは、図１２〜図１４に示すような回転機構４８０を介して、ストレージ装置３００の背面に固定されている。回転機構４８０は、前述したラック２６６に加え、ストレージ装置３００に一体的に固定されるベース部材４８２と、ベース部材４８２に対して回転自由に連結される第１の回転部材４８４と、第１の回転部材４８４に対して回転自由に連結される第２の回転部材４８６と、を有する。
【００３３】
ベース部材４８２は、平面視で略円形形状をなし、その上面の略中央部に円形断面の軸穴４８２Ａが形成されている。また、ベース部材４８２の上面周縁部には、略円環形状に延びる歯部４８２Ｂが形成されている。さらに、ベース部材４８２の周縁部近傍には、スライドレール２６０のラック２６６と常時噛み合う、上下方向に延びる回転軸４８２Ｃを中心として回転自由な第１の歯車４８２Ｄが取り付けられている。第１の歯車４８２Ｄの上面から上方に突出する回転軸４８２Ｃの上端部には、第１の歯車４８２Ｄより歯数が少ない第２の歯車４８２Ｅが一体的に固定されている。
【００３４】
第１の回転部材４８４は、中空又は中実の略立方体形状をなし、その下面の略中央部に、ベース部材４８２の軸穴４８２Ａに対して回転自由に嵌合する軸部４８４Ａが突出形成されている。また、第１の回転部材４８４の下面には、軸部４８４Ａと同心に略円形断面をなす凹部４８４Ｂが形成され、その周面の全周に亘って、ベース部材４８２の第２の歯車４８２Ｅと噛み合う、円環状の歯部４８４Ｃが形成されている。
【００３５】
第２の回転部材４８６は、略段付円柱形状をなし、第１の回転部材４８４の一側面、具体的には、スライドレール２６０のラック２６６と反対側に位置する側面において、第１のアーム部材４２０の材軸方向に延びる回転軸の周りに回転自由に連結されている。第２の回転部材４８６の大径部には、ベース部材４８２の歯部４８２Ｂと噛み合う歯部４８６Ａが全周に亘って形成されている。また、第２の回転部材４８６の小径部の外側面、即ち、歯部４８６Ａから離れた外側面には、第１のアーム部材４２０の基端部４２０Ａを固定する固定部４８６Ｂが形成されている。なお、固定部４８６Ｂは、第１のアーム部材４２０の基端部４２０Ａを一体化できればよく、どのような形状をなしていてもよい。
【００３６】
従って、ラック２００からストレージ装置３００を引き出すとき、スライドレール２６０のアウターレール２６２とストレージ装置３００とが相対変位するため、アウターレール２６２のラック２６６と噛み合う第１の歯車４８２Ｄが回転する。第１の歯車４８２Ｄが回転すると、これと一体化されている第２の歯車４８２Ｅが回転し、これと噛み合う第１の回転部材４８４の歯部４８４Ｃの位置が変化する。このため、第１の回転部材４８４は、ベース部材４８２の軸穴４８２Ａを回転中心として回転し、第１のアーム部材４２０を第１の回転軸４２２の周りに回転させる。このとき、第１の歯車４８２Ｄ、第２の歯車４８２Ｅ及び第１の回転部材４８４の歯部４８４Ｃの歯数を適宜設定することで、ストレージ装置３００の引き出しに伴って第１の回転部材４８４が最大で９０°回転するようにする。即ち、ベース部材４８２に対して第１の回転部材４８４が９０°回転すれば、第１のアーム部材４２０がラック２００の奥行き方向と略平行になり、ラック２００に対するストレージ装置３００のスライド幅を最大とすることができる。
【００３７】
また、ベース部材４８２に対して第１の回転部材４８４が回転すると、ベース部材４８２の歯部４８２Ｂと噛み合う第２の回転部材４８６の歯部４８６Ａの位置が変化し、第２の回転部材４８６が回転する。第２の回転部材４８６が回転すると、その固定部４８６Ｂに固定されている第１のアーム部材４２０が、第３の回転軸４２４の周りに回転する。このとき、ベース部材４８２の歯部４８２Ｂ及び第２の回転部材４８６の歯部４８６Ａの歯数を適宜設定することで、ストレージ装置３００の引き出しに伴って第２の回転部材４８６が最大で１８０°回転するようにする。即ち、第１の回転部材４８４に対して第２の回転部材４８６が１８０°回転すれば、図１５に示すように、第１のアーム部材４２０の開口が第２のアーム部材４４０に対向する位置まで回転する。
【００３８】
従って、ラック２００からストレージ装置３００を引き出す力を利用して、第１のアーム部材４２０が第１の回転軸４２２の周りに最大９０°回転すると共に、第１のアーム部材４２０が第３の回転軸４２４の周りに最大１８０°回転する。このため、ＣＭＡ４００に支持されているケーブル５００の屈曲部分の捩じれが少なくなり、ここに発生する捩じり応力を低減することができる。ケーブル５００の捩じり応力が低減されると、ケーブル５００には、主に、単純な曲げモーメントが作用することとなり、例えば、劣化抑制により寿命などを伸ばすことができる。
【００３９】
ＣＭＡ４００では、第１のアーム部材４２０の先端部４２０Ｃと第２のアーム部材４４０の先端部４４０Ｃとを連結する連結部材４６０として、図１６に示すように、上下方向に延びる回転軸の周りに回転可能な、略円柱形状の部材を使用することもできる。
【００４０】
以上の実施形態に関し、更に以下の付記を開示する。
（付記１）電子機器をスライド可能に搭載するラックを備えた電子機器搭載装置であって、前記電子機器のケーブルを支持するケーブルマネジメントアームは、前記電子機器に対して、上下方向に延びる第１の回転軸の周りに回転自由に基端部が固定された第１のアーム部材と、前記ラックに対して、上下方向に延びる第２の回転軸の周りに回転自由に基端部が固定された第２のアーム部材と、を有し、前記第１のアーム部材と前記第２のアーム部材とは、上下方向に所定距離を隔てて配設された、ことを特徴とする電子機器搭載装置。
【００４１】
（付記２）前記第１のアーム部材の先端部と前記第２のアーム部材の先端部とは、相互に相対変位可能な連結部材を介して連結された、ことを特徴とする付記１に記載の電子機器搭載装置。
【００４２】
（付記３）前記第１のアーム部材の基端部は、当該第１のアーム部材の材軸方向に延びる第３の回転軸の周りに更に回転可能である、ことを特徴とする付記１又は付記２に記載の電子機器搭載装置。
【００４３】
（付記４）前記ラックに対して前記電子機器を出し入れする力を利用して、前記第１のアーム部材の基端部を前記第１の回転軸及び前記第３の回転軸の周りに夫々回転させる回転機構を更に有する、ことを特徴とする付記３に記載の電子機器搭載装置。
【００４４】
（付記５）前記回転機構は、前記第１のアーム部材の基端部を前記第３の回転軸の周りに１８０°回転させる、ことを特徴とする付記４に記載の電子機器搭載装置。
【００４５】
（付記６）前記回転機構は、前記第１のアーム部材の基端部を前記第１の回転軸の周りに９０°回転させる、ことを特徴とする付記４又は付記５に記載の電子機器搭載装置。
【００４６】
（付記７）前記所定距離は、前記ケーブルの許容最小曲げ半径の少なくとも２倍である、ことを特徴とする付記１〜付記６のいずれか１つに記載の電子機器搭載装置。
【００４７】
（付記８）前記第１のアーム部材及び前記第２のアーム部材には、夫々、結束バンドを挿通する挿通孔が複数形成されている、ことを特徴とする付記１〜付記７のいずれか１つに記載の電子機器搭載装置。
【００４８】
（付記９）前記ケーブルは、電源ケーブル及びデータケーブルを含む、ことを特徴とする付記１〜付記８のいずれか１つに記載の電子機器搭載装置。
【符号の説明】
【００４９】
１００  電子機器搭載装置
２００  ラック
３００  ストレージ装置
４００  ＣＭＡ
４２０  第１のアーム部材
４２０Ａ  基端部
４２０Ｃ  先端部
４２２  第１の回転軸
４２４  第３の回転軸
４４０  第２のアーム部材
４４０Ａ  基端部
４４０Ｃ  先端部
４４２  第２の回転軸
４６０  連結部材
４８０  回転機構
５００  ケーブル
【図１】
2015195251.tif 000003
【図２】
2015195251.tif 000004
【図３】
2015195251.tif 000005
【図４】
2015195251.tif 000006
【図５】
2015195251.tif 000007
【図６】
2015195251.tif 000008
【図７】
2015195251.tif 000009
【図８】
2015195251.tif 000010
【図９】
2015195251.tif 000011
【図１０】
2015195251.tif 000012
【図１１】
2015195251.tif 000013
【図１２】
2015195251.tif 000014
【図１３】
2015195251.tif 000015
【図１４】
2015195251.tif 000016
【図１５】
2015195251.tif 000017
【図１６】
2015195251.tif 000018